(57)【要約】      （修正有）【課題】ハードディスク保存ボックスの挿入取出しを確実にする。【解決手段】ハードディスク保存ボックス２及び外付ボックス本体１からなり、外付ボックス本体の保存ボックス挿入開口３１を保存ボックスの蓋２１で閉塞する。開口部内に突出して第一遮断部分と第二遮断部分を設け、保存ボックスに引出し用の取っ手２２及び摘み２３を設け、摘み底面の一方の側面に向けてスプリングにより内側に引っ込むブロックと傾斜面を具えたアーチ型壁面を形成する。保存ボックスを外付ボックス開口に挿入すると、ブロックの斜面が第一遮断部分に当接してブロックを内方に押し込み、通過後突出してロックされる。保存ボックス取出し時には、摘みをまわすとブロックと第一遮断部分とのロックが外れ、更にまわすと斜面が第二遮断部分に当たって傾斜面に沿って押し上げて内部の電気的接続を外し安全に引出し可能とする。【選択図】図１
0003134782.tif 000002
【実用新案登録請求の範囲】
【請求項１】
ハードディスク保存ボックス及び外付けボックス本体からなり、
外付けボックス本体にハードディスク保存ボックス挿入開口を設けると共に内部にコネクタを配置し、
該外付けボックス本体の開口部内に相対して内側に向けて第一遮断部分及び第二遮断部分を突出して設け、
ハードディスク保存ボックス上につまみを設け、
ハードディスク保存ボックスの挿入により電気的コネクタを接続すると共に上記第一遮断部分と係合するブロックによりロックし、
つまみの回動によりロックを解除すると共に、つまみの回動操作を第二遮断部分に当接してハードディスク保存ボックスを上方に押し上げて該電気的コネクタから抜きだすようにしたことを特徴とするハードディスク外付けボックス。
【請求項２】
該つまみ底面に側方に向けて錐形斜面を形成したブロックをスプリングにより突出可能に設けると共に、下方に向けて傾斜したカーブを設けた壁面を形成して
該ハードディスク保存ボックスを該開口より挿入することにより、該第一遮断部分をブロック斜面に沿って当接させて該スプリングに抗してブロックを内方に押し込ませ、次いでブロック通過位置においてブロックをスプリングの押圧力により突出させてロックし、また、つまみを廻すことにより、該ブロックのロックが外れる共に対して第二遮断部分が上記カーブを設けた壁面傾斜面に沿って当接することにより、ハードディスク保存ボックスを押し上げて安全に電位的接続から抜き出すようにしたことを特徴とする請求項1記載のハードディスク外付けボックス。
【請求項３】
該カーブを設けた壁面の傾斜の前後は第一ストッパー及び第二ストッパーを形成し、
第一ストッパーの高さは第二ストッパーより高く、且つ該第一ストッパーと第二ストッパーの間は、第二ストッパーから第一ストッパーに向かって徐々に高くなるアーチ型壁面を形成したことを特徴とする請求項1記載のハードディスク外付けボックス。
【請求項４】
外付けボックス本体上面の開口は、該上面を閉塞する遮断シートに形成し、
該つまみは蓋の一端側に設けて上記第一遮断部分と第二遮断部分はそれぞれ該つまみの位置に対応して該遮断シートに設けたことを特徴とする請求項1、２又は３記載のハードディスク外付けボックス。
【請求項５】
前記ハードディスク保存ボックスの蓋に取っ手を設けたことを特徴とする請求項1記載のハードディスク外付けボックスの構造。
【請求項６】
前記外付けボックス本体上面に開口部を形成した遮断シートを設け、該遮断シートに第一遮断部分及び第二遮断部分を設け、該ハードディスク保存ボックス端面を該開口を閉じる蓋を設けると共に該蓋上につまみを設け、
該つまみ底面に側方に向けて錐形斜面を形成したブロックをスプリングにより突出可能に設けると共に、下方に向けて傾斜したカーブを設けた壁面を形成して
該ハードディスク保存ボックスを該開口より挿入することにより、該第一遮断部分をブロック斜面に沿って当接させて該スプリングに抗してブロックを内方に押し込ませ、次いでブロック通過位置においてブロックをスプリングの押圧力により突出させてロックし、また、つまみを廻すことにより、該ブロックのロックが外れる共に対して第二遮断部分が上記カーブを設けた壁面傾斜面に沿って当接することにより、ハードディスク保存ボックスを押し上げて安全に電位的接続から抜き出すようにしたことを特徴とする請求項1記載のハードディスク外付けボックス。
【考案の詳細な説明】
【技術分野】
【０００１】
本考案は、ハードディスク外付けボックスの構造に関し、特にハードディスク保存ボックスをハードディスク外付けボックスと簡単に結合或いは、イジェクトすることができ、シンプルな構造であり、操作使用上非常に便利なハードディスク外付けボックスに関する。
【背景技術】
【０００２】
デジタル時代の人々は、仕事や日常事務をコンピューターに頼って処理することが多くなり、コンピューターは毎日の生活の必需品となっている。テクノロジーの進歩と消費者のニーズの増加に従って、コンピューターの情報テクノロジーは絶えず進歩し、コンピューター関連の製品はどんどん新しいものが発売され、ユーザーは足りない部分を自ら更新、拡張するため、様々な資料とソフトウェアに必要なスペースがますます大きくなり、これらに対応してハードディスクに対する需要も大きくなっている。
【０００３】
ハードディスクはコンピューターシステムの中で、高い保存密度と大きな容量を持ち、保存コストが低い上、迅速且つランダムアクセス機能を有するなど、情報保存システムの主流の一つとなっている。テクノロジーの進歩につれ、現在のハードディスクの設計は、コンピューターマザーボード中に設置するとは限らない。外付けハードディスクは携帯タイプであり、プライバシーを守ると共に、接続すればすぐさま使用できる便利な特徴が魅力的で、いつでもPC、NB、Workstation及びサーバーの中を行き来することができ、広く使用されているのが現状である。
【０００４】
従来技術の外付けハードディスクは、使用するに際してハードディスク保存ボックスをコンピューター本体に差込み、本体内にあるコネクタと接続して使用する。使用をやめる時、同じく保存ボックスを引出すことにより、本体内にあるコネクタが外れる。ハードディスクは非常に損傷しやすい製品であり、少しの振動を加えるだけでも故障しやすい。また、外力によって本体内のコネクタ同士の結合と外しを行うのは、往々にして力加減によりハードディスク本体がダメージ、或いは両方のコネクターが壊れる原因になる。よって、如何にしてユーザーは簡単にハードディスク保存ボックスと本体両者を装着、外す際に起こりうるダメージを最小限に抑えるかことが、考案者の取って課題である。
【特許文献１】特開２００３−１５１２５１号公報
【考案の開示】
【考案が解決しようとする課題】
【０００５】
本考案の主な目的は、簡単に外付け本体から取り出せるハードディスク外付けボックスの構造を提供することにある。
本考案の第2の目的は、つまみを回すだけで、ハードディスクを取り出すことができ、効果的に振動を低減し、ハードディスク保存ボックスと外付けボックス本体コネクタを破損する可能性を少なくするハードディスク外付けボックスの構造を提供することにある。
【課題を解決するための手段】
【０００６】
前記課題を解決するために、本考案はハードディスク外付けボックスを考案し、少なくとも一つのハードディスク保存ボックスと外付けボックスの本体を含み、該外付けボックス本体に少なくとも一つの開口を設け、ハードディスク保存ボックスを該開口より挿入した後、外付けボックス本体内の電気コネクタに接続する。該外付けボックス本体の開口に遮断シートを設け、該遮断シートは第一遮断部分と第二遮断部分を具有し、該ハードディスク保存ボックスの先端に、前述の開口を閉じる蓋を設ける。該蓋に回転するつまみを設け、該ハードディスク保存ボックスを外付けボックス本体に挿入した後、該第一遮断部分がつまみの底面を押し当て、完全に挿入した後は、つまみの底面が遮断部分によって制限されるため、ハードディスク保存ボックスがイジェクトするのを防ぐ。つまみを回すと、該つまみの底面は遮断部分の制限から外れ、且つつまみ底面は第二遮断部分を押し当てるため、ハードディスク保存ボックスは外付けボックス本体の電気コネクタと外れる。
【考案の効果】
【０００７】
本考案は、つまみと遮断シートの組み合わせにより、ユーザーはハードディスク保存ボックスを外付けボックス本体に押し入れると、つまみの弾性ブロックは第一遮断部分によって制限されるため、ハードディスク保存ボックスと外付けボックス本体を結合する目的に達する。つまみを回すと、該つまみは遮断部分の制限から外れ、且つ該遮断シートを押し当てるため、蓋は外付けボックス本体の開口よりイジェクトする。シンプルな構造で便利な操作であるため、ユーザーは力を加えずに、簡単にハードディスク保存ボックスを取り出す目的に達する。
また、本考案はつまみを回転する方法により、ハードディスク保存ボックスをイジェクトするため、有効的にハードディスクを取り出す際に生じる振動を少なくする。従来技術の外力によって引っ張ることにより、ハードディスク保存ボックスと外付けボックス本体のコネクト構造を損壊するのを避ける。
【考案を実施するための最良の形態】
【０００８】
図1及び図2が示すのは、本考案ハードディスク外付けボックス1の実施例である。少なくとも一つのハードディスク保存ボックス2と一つの外付けボックス本体3によって組立てられる。該ハードディスク保存ボックス2にハードディスク4を結合し、該外付けボックス本体3は少なくとも一つの開口31を設け、該開口31よりハードディスク保存ボックス2は外付けボックス本体3に挿入した後、該ハード保存ボックス2の後端は外付けボックス本体3内にある電気的コネクタと接続できる。
【０００９】
図3〜図7が示すのは、該外付けボックス本体3の開口31部に遮断シート32を設け、該遮断シート32に第一遮断部分321及び第二遮断部分322を設け、該ハードディスク保存ボックス2の先端に前述の開口31を閉じる蓋21を設ける。該蓋21に取っ手22及びつまみ23を設け、該つまみ23を蓋21の片側に設置し、遮断シート32の第一遮断部分321及び第二遮断部分322は該つまみ23の位置に相対した遮断シート32の上に設置する。
【００１０】
該つまみ23の底面に弾性ブロック231及びカーブ部分232を設け、該弾性ブロック231に錐形斜面233を形成する。該カーブ部分232はアーチ型壁面234を具え、該アーチ型壁面234は第一ストッパー235及び第二ストッパー236を有し、第一ストッパー235の高さは第二ストッパー236の高さより高く、且つ該第一ストッパー235と第二ストッパー236が連結し、第二ストッパー236より第一ストッパー235に向かって徐々に高さが増すアーチ型本体壁面235を形成する(図4〜図6参照)。
【００１１】
実施する際、図1〜図8が示すように、該ハードディスク保存ボックス2を外付けボックス本体3の開口31に挿入する時、つまみ23の底面に配置した弾性ブロック231の錐形斜面233は遮断シート32の第一遮断部分321に当たる。一方、弾性ブロック231に錐形斜面233を設けてあるため、該弾性ブロック231は強制的に下向きに彎曲して変形し、第一遮断部分321が錐形斜面233の底面に進入した後、該弾性ブロック231は元に戻る。この時、該弾性ブロック231は既に第一遮断部分321を通過し、第一遮断部分321によって遮られるため、該ハードディスク2をイジェクトできない(図8を参照)。同時に該ハードディスク保存ボックス2のコネクトは、外付けボックス本体3内にあるコネクトと電気的コネクタを形成する(図に未掲載)。
【００１２】
外付けボックス本体3内にあるハードディスク保存ボックス2を取り出す場合、ユーザーは該つまみ23を回すと、該つまみ23底面にある弾性ブロック231とカーブ部232が同時に回転し、弾性ブロック231が回転すると、徐々に第一遮断部分321の遮りより遠ざかることで、弾性ブロック231は第一遮断部分321の制限を受けなくなる。つまみ23のカーブ部232のアーチ型壁面234は回転すると、第二遮断部分322に接触し、つまみ23をさらに回転すると、第二遮断部分322は次々と第二ストッパー236と第一ストッパー235に押される。第二遮断部分322は遮断シート32に固定しているため、移動できず、該カーブ部232のアーチ型壁面234は第二ストッパー236から第一ストッパー235に向かって徐々に高くなる構造により、該つまみ23を結合する蓋21が次第に外付けボックス本体3の開口31より離れる。第二遮断部分322が第一ストッパー321の先端にまで到達するとき、該ハードディスクボックス2のコネクタは外付けボックス本体3のコネクタと外れるため、ハードディスク保存ボックス2がイジェクトする状態となる。ユーザーは蓋21にある取っ手22により、ハードディスク保存ボックス2を取り出すことができる。
【図面の簡単な説明】
【００１３】
【図１】本考案実施例のハードディスク外付けボックスの立体外観分解図である。
【図２】本考案実施例のハードディスク外付けボックスの立体外観図である。
【図３】本考案実施例のハードディスク保存ボックスの立体外観分解図である。
【図４】本考案実施例のつまみの立体外観分解図である。
【図５】本考案実施例のつまみの別の角度から見た立体外観図である。
【図６】本考案実施例のつまみのまた別の角度から見た立体外観図である。
【図７】本考案実施例の遮断シートの後ろから見た図である。
【図８】本考案実施例の保存ボックスを開口に挿入した後、蓋にあるつまみと遮断        シートの結合位置を示した立体外観略図である。
【符号の説明】
【００１４】
1.ハードディスク外付けボックス
2.ハードディスク保存ボックス
21蓋
22取っ手
23つまみ
231弾性ブロック
232カーブ部分
233斜面
234アーチ型壁面
235第一ストッパー
236第二ストッパー
3外付けボックス本体
31開口
32遮断シート
321第一遮断部分
322第二遮断部分
4ハードディスク
【図１】
0003134782.tif 000003
【図２】
0003134782.tif 000004
【図３】
0003134782.tif 000005
【図４】
0003134782.tif 000006
【図５】
0003134782.tif 000007
【図６】
0003134782.tif 000008
【図７】
0003134782.tif 000009
【図８】
0003134782.tif 000010